(57)【要約】【課題】同一の機能を搭載し操作環境が共通する他の情報端末機を使用するユーザに対して、操作の代行又は口頭により操作手順を教示することなく操作手順の教示を行うことができる情報端末機を提供する。【解決手段】本発明の情報端末機は、ユーザの操作により動作する機能を搭載する情報端末機であって、前記操作の履歴情報を格納する格納手段と、前記情報端末機が搭載する機能と同一の機能を搭載し、操作環境が共通の他端末上で操作された履歴情報を前記他端末から受信する受信手段と、受信した履歴情報を格納する格納手段と、格納された履歴情報を前記他端末機に送信する送信手段と、格納された履歴情報を参照して前記機能の操作を案内する案内手段とを備える。【選択図】  図１
2006115276.tif 000002
【特許請求の範囲】
【請求項１】
ユーザの操作により動作する機能を搭載する情報端末機であって、
前記操作の履歴情報を格納する格納手段と、
前記情報端末機が搭載する機能と同一の機能を搭載し、操作環境が共通の他端末上で操作された履歴情報を前記他端末から受信する受信手段と、
受信した履歴情報を格納する格納手段と、
格納された履歴情報を前記他端末機に送信する送信手段と、
格納された履歴情報を参照して前記機能の操作を案内する案内手段と、
を備える情報端末機。
【請求項２】
前記案内手段は、前記履歴情報を参照して取得したユーザが選択したメニュー項目の回数が所定の閾値を越えていることを判断して前記案内を実行する請求項１に記載の情報端末機。
【請求項３】
前記履歴情報に含まれるユーザが選択したメニュー項目の回数をリセットする手段を備える請求項２に記載の情報端末機。
【請求項４】
前記案内を実行させるためのメニュー項目の選択回数を任意に設定する手段を備える請求項２または３記載の情報端末機。
【発明の詳細な説明】
【技術分野】
【０００１】
本発明は、携帯電話機、ＰＤＡ（Personal Digital Assistant）、ノート型のパーソナルコンピュータ等の情報端末機に関する。
【背景技術】
【０００２】
近年、携帯電話機等の情報端末機は小型多機能化が促進されている。メニューの構成は複数の階層構造から成り、ユーザは複雑な遷移をたどらなければ所望の機能を選択・使用することができない。
【０００３】
そこで、メニューから機能を選択する操作の履歴情報を記録しておき、前記履歴情報を利用して一度使用した機能を簡易に呼び出すことができる携帯電話機が提案されている（特許文献１）。
【特許文献１】特開２０００−２６１５４４
【発明の開示】
【発明が解決しようとする課題】
【０００４】
しかしながら、前述した携帯電話機で利用できる操作の履歴情報は、その携帯電話機が操作されることによって得られた履歴情報に限られ、他の携帯電話機が有する履歴情報は利用できない。そのため、同一の機能を搭載し操作環境が共通する他の携帯電話機を使用するユーザに対しメニューの操作手順を教示する場合、操作の代行又は口頭によりしなければならなかった。
【０００５】
本発明は、同一の機能を搭載し操作環境が共通する他の情報端末機を使用するユーザに対して、操作の代行又は口頭により操作手順を教示することなく操作手順の教示を行うことができる情報端末機を提供することを目的とする。
【課題を解決するための手段】
【０００６】
本発明の情報端末機は、ユーザの操作により動作する機能を搭載する情報端末機であって、前記操作の履歴情報を格納する格納手段と、前記情報端末機が搭載する機能と同一の機能を搭載し、操作環境が共通の他端末上で操作された履歴情報を前記他端末から受信する受信手段と、受信した履歴情報を格納する格納手段と、格納された履歴情報を前記他端末機に送信する送信手段と、格納された履歴情報を参照して前記機能の操作を案内する案内手段とを備える。
【０００７】
この構成により、同一の機能を搭載し操作環境が共通の他端末上で操作された履歴情報を取得し前記履歴情報を参照して、ユーザの操作により動作する機能の操作を案内することができる。
【０００８】
本発明において、さらに、前記案内手段は、前記履歴情報を参照して取得したユーザが選択したメニュー項目の回数が所定の閾値を越えていることを判断して前記案内を実行する。
【０００９】
本発明において、さらに、前記履歴情報に含まれるユーザが選択したメニュー項目の回数をリセットする手段を備える。この構成により、前記回数を初期化することができる。
【００１０】
本発明において、さらに、前記案内を実行させるためのメニュー項目の選択回数を任意に設定する手段を備える。この構成により、どの程度の頻度で前記案内を実行するか否かを調節することができる。
【発明の効果】
【００１１】
本発明によれば、同一の機能を搭載し操作環境が共通する他の情報端末機に操作の履歴情報を送信することで、前記他端末を使用するユーザに対して操作手順を教示することができる。
【発明を実施するための最良の形態】
【００１２】
（実施の形態１）
図１は、本発明の実施の形態１に係る携帯電話機の全体構成を示す概略構成図である。また、図２は、表示部１３に表示されるメニュー画面の遷移図の一例である。また、図３は、格納部１６に格納される操作の履歴情報を示す図である。図４は、操作の履歴情報に関する設定を行うメニュー画面を示す図である。
【００１３】
図１において、本実施の形態の携帯電話機１００は、メール、インターネット、ゲーム等を含む各種機能を有しており、操作部１１と、制御部１２と、表示部１３と、送受話部１４と、無線部１５と、格納部１６とを備えている。前記各種機能を選択するメニューは、複数の階層構造から成り、操作部１１によるメニュー項目を遷移する操作を経て、所望の機能を選択・使用するものである。
【００１４】
操作部１１は、メニューから各種機能を選択する操作を行う。制御部１２は、図示せぬＣＰＵ、ＲＯＭ、ＲＡＭ等を備えて構成され、ＲＯＭに記録されたプログラムに従って各種機能を実現する。各種機能のなかには、操作の履歴情報を参照し、ユーザに対して次の選択箇所を案内する印をメニュー項目に表示させる機能等がある。
【００１５】
表示部１３は、カラー液晶表示パネル等で構成され、メニュー画面等を表示する。送受話部１４は、マイクロホンおよびスピーカを備え、通話信号の生成および受信信号の再生を行う。無線部１５は、他の携帯電話機と操作の履歴情報等の情報を送受信する。格納部１６は操作履歴情報及びに各種機能を実現するプログラム等を保存する。
【００１６】
図２は、表示部１３に表示されるメニュー画面の遷移図の一例である。メニュー画面２１はメール、画面表示、電話帳、設定、カメラ、インターネット、スケジュール、赤外線通信、及びゲームから成るメニュー項目から「メール」を選択するときのメニュー画面を示している。メニュー画面２２は前記選択操作に続いて、メール一覧、メール新規作成、センター問合せ、及びメール設定から成るメニュー項目から「メール新規作成」を選択するときのメニュー画面を示している。メニュー画面２３は、さらに前記選択操作に続いて、ショートメール及びＥメールから成るメニュー項目から「Ｅメール」を選択するときのメニュー画面を示している。
【００１７】
メニュー画面２４は、メニュー画面２１に加えてユーザに対して次の選択箇所を案内する印が表示されている。メニュー画面２５及びメニュー画面２６も同様である。
【００１８】
図３は、格納部１６に格納される操作の履歴情報を示す図である。前記履歴情報は、メニュー項目の名称、前記メニュー項目が選択された回数を示す選択回数、及びメニュー項目に前記印を表示させる条件となる前記選択回数の閾値等の情報である。前記履歴情報は、制御部１２が前記印をメニュー項目に表示する際に参照され、また、ユーザが各種機能を選択する操作を行う度に更新される。
【００１９】
図４は、操作の履歴情報に関する設定を行うメニュー画面を示す図である。前記メニュー画面内の「履歴表示」の項目では、前記印をメニュー項目上に表示させるか否かについて設定される。前記メニュー画面内の「履歴表示閾値」の項目では、前記印を表示させる条件となる前記選択回数の閾値が設定される。前記メニュー画面内の「履歴データクリア」の項目では、前記選択回数の初期化が行われる。
【００２０】
次に、上記構成の携帯電話機において、操作部１１の操作により所望の機能を選択する動作について図５に示すフローチャートを参照しながら説明する。なお、処理の主体となるのは制御部１２である。
【００２１】
まず、携帯電話機１００のユーザが携帯電話機１００の電源を投入すると、制御部１２は表示部１３にメニュー画面を表示する（ステップＳ１０１）。次に、携帯電話機１００のユーザが、操作部１１にてメニュー内のメニュー項目を遷移させ所望の機能を選択すると、制御部１２は選択された機能を実行する（ステップＳ１０２）。次に、制御部１２は操作の履歴情報を更新する、すなわち、所望の機能を選択する過程で選択されたメニュー項目の選択回数を１加算し格納部１６に格納する（ステップＳ１０３）。
【００２２】
次に、ユーザに対して選択箇所を案内する印をメニュー項目上に表示する場合の動作について図６に示すフローチャートを参照しながら説明する。
【００２３】
まず、制御部１２は格納部１６に格納された操作履歴情報からメニュー項目の選択回数と前記選択回数の閾値Ｎの情報を参照し、前記選択回数が閾値Ｎを超えているか否かを判定する（ステップＳ２０１）。前記選択回数が閾値Ｎ以上である場合、該当するメニュー項目上に前記印を添付して表示する（ステップＳ２０２、Ｓ２０３）。前記選択回数が閾値Ｎ未満である場合、メニュー項目上に前記印は表示されずにメニュー画面が表示される。なお、閾値Ｎは前述した図４の「履歴表示閾値」項目でユーザが任意に設定できる。所望の機能が選択・実行されるまで、メニュー項目を選択する操作は続けられる（ステップＳ２０４）。
【００２４】
次いで、具体例を述べる。操作の履歴情報が初期状態（全てのメニュー項目の選択回数が０である状態）であるとする。図２のメニュー画面２１、メニュー画面２２、メニュー画面２３に示すように、ユーザが「メール」、「メール新規作成」、「Ｅメール」の順にメニュー項目を選択する。このとき操作の履歴情報は、図３に示すように、選択されたメニュー項目の選択回数が１加算され、格納部１６に格納される。
【００２５】
次回以降の操作時においては、図２のメニュー画面２４、メニュー画面２５、メニュー画面２６に示すように、制御部１２は格納部１６に格納された操作の履歴情報を参照して、前記選択回数が閾値を超えている場合は、前記印を前記メニュー項目上に表示する。
【００２６】
次に、同一の機能を搭載し操作環境が共通の他の携帯電話機に操作の履歴情報を送信する場合の動作について説明する。
【００２７】
制御部１２は、操作の履歴情報を無線部１５を介して前記他の携帯電話機に送信する。前記履歴情報は前記他の携帯電話機の無線部を介して前記携帯電話機の格納部に格納される。図２のメニュー画面２４、メニュー画面２５、メニュー画面２６に示すように、前記他の携帯電話機の制御部は、携帯電話機１００から取得した前記履歴情報を参照して、前記他の携帯電話機のユーザに対し選択箇所を案内する印をメニュー項目上に表示する。
【００２８】
また、前記他の携帯電話機が有する操作の履歴情報を本実施の形態の携帯電話機１００が受信した場合、前記他の携帯電話機から取得した前記履歴情報を参照して制御部１２が携帯電話機１００のユーザに対し次の選択箇所を案内する印をメニュー項目上に表示する。
【００２９】
このように、本実施の形態の携帯電話機１００によれば、携帯電話機１００の有する履歴情報を、同一の機能を搭載し操作環境が共通の他の携帯電話機に送信し、前記他の携帯電話機の制御部は前記履歴情報を参照して前記他の携帯電話機のユーザに対し次の選択箇所を案内する印を表示する。また、携帯電話機１００は、前記他の携帯電話機から操作の履歴情報を受信し、前記履歴情報を参照して携帯電話機１００のユーザに対し次の選択箇所を案内する印を表示する。
【００３０】
従って、携帯電話機１００を使用するユーザが、同様の操作環境を有する携帯電話機を使用する他のユーザに対しメニューの操作手順を教示する場合、操作の代行又は口頭で教示することなく、前記他の情報端末機に操作の履歴情報を送信することで、前記他の携帯電話機を使用するユーザに対して操作手順を教示することができる。
【００３１】
なお、上記実施の形態の説明では、携帯電話機に本発明を適用した場合について説明したが、ＰＤＡ、ＰＨＳ、ノート型のパーソナルコンピュータ等の情報端末機にも本発明を適用することができる。また、操作履歴情報を通信する手段として無線部を説明したが、有線による通信手段であっても、効果は同様である。
【産業上の利用可能性】
【００３２】
本発明の情報端末機は、同様の操作環境を有する情報端末機から操作履歴情報を取得し、前記操作情報を参照してユーザに対し選択箇所を教示する印を表示することができるので、同様の操作環境を有する情報端末機を所有する他のユーザに対し操作手順を教示する場合、前記操作履歴情報を送信すれば足りるという効果を有し、携帯電話機、ＰＤＡ（Personal Digital Assistant）、ノート型のパーソナルコンピュータ等の情報端末機として有用である。
【図面の簡単な説明】
【００３３】
【図１】本発明の実施の形態１に係る携帯電話機の全体構成を示す概略構成図
【図２】表示部１３に表示されるメニュー画面の遷移図の一例
【図３】格納部１６に格納される操作履歴情報を示す図
【図４】操作の履歴情報に関する設定を行うメニュー画面を示す図
【図５】操作部１１の操作により所望の機能を選択する動作について示すフローチャート
【図６】ユーザに対して選択箇所を案内する印を表示させる動作について示すフローチャート
【符号の説明】
【００３４】
１１  操作部
１２  制御部
１３  表示部
１４  送受話部
１５  無線部
１６  格納部
１００  携帯電話機
【図１】
2006115276.tif 000003
【図２】
2006115276.tif 000004
【図３】
2006115276.tif 000005
【図４】
2006115276.tif 000006
【図５】
2006115276.tif 000007
【図６】
2006115276.tif 000008